(57)【要約】【課題】  小型化が十分に図られた携帯機器を提供する。【解決手段】  携帯電話機１は、表面３ａを有するベース部３と、表面３ａの周縁に位置し、表面３ａから突出する突出部４とを含み、ベース部３および突出部４の間で連通した内部空間を規定する筐体２と、その内部空間に位置決めされ、筐体２に収容されたカメラ部と、回動軸５を中心に回動自在となるように突出部４に連結され、筐体２に対して開閉される筐体６とを備える。【選択図】        図１
2005124127.tif 000002
【特許請求の範囲】
【請求項１】
主表面を有するベース部と、前記主表面の周縁に位置し、前記主表面から突出する突出部とを含み、前記ベース部および前記突出部の間で連通した内部空間を規定する第１の筐体と、
前記内部空間に位置決めされ、前記第１の筐体に収容された電子機器と、
第１の軸を中心に回動自在となるように前記突出部に連結され、前記第１の筐体に対して開閉される第２の筐体とを備える、携帯機器。
【請求項２】
前記突出部は、前記第１の軸が延びる方向に互いに距離を隔てて位置する一対の側面を有し、
前記第２の筐体は、中央部と、前記中央部から枝分かれし、前記一対の側面の各々に連結される両端部とを有するＵ字状の連結部材と、第１の表示部が設けられた第１の表面を有し、前記第１の軸に直交する第２の軸を中心に回転自在となるように前記中央部に連結された可動部材とを含む、請求項１に記載の携帯機器。
【請求項３】
前記第１の筐体に収容されたアンテナをさらに備え、
前記アンテナは、前記第２の筐体に連結された側に位置する前記第１の筐体の端部から突出する先端部を含み、
前記アンテナは、前記第１および第２の筐体を開いた状態で前記可動部材を回転させた場合に、前記先端部が前記可動部材に干渉しない位置に設けられている、請求項２に記載の携帯機器。
【請求項４】
前記第１の筐体の前記端部から前記可動部材までの距離は、前記第１の筐体の前記端部から前記先端部までの距離よりも大きい、請求項３に記載の携帯機器。
【請求項５】
前記電子機器は、カメラ部を含む、請求項１から４のいずれか１項に記載の携帯機器。
【請求項６】
前記ベース部は、前記主表面の反対側に位置し、前記第１および第２の筐体を閉じた状態で外側に面する第２の表面をさらに有し、
前記カメラ部は、前記第２の表面から露出する撮影レンズを有する、請求項５に記載の携帯機器。
【請求項７】
前記撮影レンズに近接する位置で前記第２の表面から露出し、前記第１の筐体に設けられたフラッシュをさらに備える、請求項６に記載の携帯機器。
【請求項８】
前記撮影レンズに近接する位置で前記第２の表面から視認され、前記第１の筐体に設けられた第２の表示部をさらに備える、請求項６または７に記載の携帯機器。
【請求項９】
前記第１の筐体は、前記ベース部に設けられた操作ボタン部をさらに含む、請求項１から８のいずれか１項に記載の携帯機器。
【請求項１０】
第１および第２の筐体と、
前記第１の筐体と前記第２の筐体とを回転自在に連結し、前記第１および第２の筐体に連通する内部空間を規定する第１の回転ヒンジ部と、
前記内部空間に配置された電子機器とを備える、携帯機器。
【請求項１１】
前記電子機器は、カメラ部を含む、請求項１０に記載の携帯機器。
【請求項１２】
前記第２の筐体は、前記第１の回転ヒンジ部を介して前記第１の筐体に連結される第１の回転部材と、第２の回転ヒンジ部を介して前記第１の回転部材に回転自在に連結され、表示部が設けられた第２の回転部材とを含む、請求項１０または１１に記載の携帯機器。
【請求項１３】
前記第１および第２の筐体は、互いに向い合う第１および第２の主表面をそれぞれ有し、
前記第１の回転ヒンジ部は、前記第１および第２の主表面にほぼ直交する第１の回転軸を有し、前記第２の回転ヒンジ部は、前記第１の回転軸にほぼ直交する第２の回転軸を有する、請求項１２に記載の携帯機器。
【請求項１４】
前記第２の回転部材は、前記第２の筐体が前記第１の筐体に対して、前記第１および第２の主表面が向い合った位置から９０°および１８０°、回転したそれぞれ状態の少なくともいずれか一方の状態で、前記第１の回転部材に対して回転可能である、請求項１３に記載の携帯機器。
【請求項１５】
前記第１の回転部材に、前記電子機器を実装する回路基板が収容されている、請求項１２から１４のいずれか１項に記載の携帯機器。
【発明の詳細な説明】
【技術分野】
【０００１】
この発明は、一般的には、携帯機器に関し、より特定的には、２つの筐体が回動可能に取り付けられて構成される携帯機器に関する。
【背景技術】
【０００２】
従来、ヒンジを介して２つの筐体が開閉自在に連結されたクラムシェルタイプの携帯電話機が広く普及している。このタイプの携帯電話機では、一般的に、一方の筐体に表示部やレシーバなどが設けられ、他方の筐体には、操作ボタンやマイクなどが設けられている。さらに最近になって、互いに独立して回転する２つの回転軸を備えたクラムシェルタイプの携帯電話機が販売され始めている。図１１は、従来において、２つの回転軸を備えたクラムシェルタイプの携帯電話機の開いた状態を示す斜視図である。図１２は、図１１中の携帯電話機の閉じた状態を示す斜視図である。図１３は、図１２中の矢印ＸＩＩＩから見た携帯電話機を示す斜視図である。
【０００３】
図１１から図１３を参照して、携帯電話機１０１は、表面１０３ａを有する筐体１０３と、筐体１０３に対して矢印１５１に示す方向に回動可能に設けられた筐体１０７および１０８と、筐体１０３内に収容された図示しないカメラ部とを備える。筐体１０７の内部には、筐体１０３と筐体１０７とを回動可能に連結し、筐体１０７と筐体１０８とを回転可能に連結する図示しないヒンジ装置が収容されている。
【０００４】
筐体１０３には、表面１０３ａの周縁の両端で表面１０３ａから突出するヒンジ支持部１０４ｍおよび１０４ｎが形成されている。ヒンジ支持部１０４ｍおよび１０４ｎは、互いに距離を隔てて設けられている。表面１０３ａ上のヒンジ支持部１０４ｍとヒンジ支持部１０４ｎとの間には、筐体１０７が位置決めされている。ヒンジ支持部１０４ｍおよび１０４ｎと筐体１０７とが、筐体１０７内に収容されたヒンジ装置によって連結されている。
【０００５】
筐体１０３の表面１０３ａには、複数の操作ボタン１１８が設けられており、表面１０３ａの反対側に位置する筐体１０３の表面１０３ｂには、スピーカ１２２が設けられている。表面１０３ｂに対して段差をもって形成された表面１５３には、カメラ部の撮影レンズ１１４が露出している。撮影レンズ１１４は、携帯電話機１０１を開いた状態において、筐体１０８と隣り合う位置に設けられている。カメラ部は、表面１０３ａと表面１５３との間に挟まれた筐体１０３内の空間に配置されている。筐体１０８の表面１０８ａには、メイン表示部１１６が設けられている。
【０００６】
図１４は、図１１中のメイン表示部が設けられた筐体を回転させた場合の携帯電話機を示す斜視図である。図１４を参照して、筐体１０８は、筐体１０７に対して矢印１５２に示す方向に回転可能に設けられている。これにより、メイン表示部１１６が設けられた表面１０８ａを適当な方向に向けることができる。
【０００７】
また別に、２軸ヒンジを用いる電子機器のフレキシブル基板の破損等を防止して電気的接続を確実にすることを目的とした２軸ヒンジ装置が、特開２００３−１３３７６４号公報に開示されている（特許文献１）。さらに別に、表裏反転させる電子機器が中間位置で停止しにくく、旋回角度終端位置に安定して停止させることを目的とした連結装置および折り畳み式電子機器が、特開２００２−３１０１３４号公報に開示されている（特許文献２）。さらに別に、構造が簡単で小型化を図ることを目的とした２軸ヒンジ装置が、特開２００１−２２７２２９号公報に開示されている（特許文献３）。これら特許文献１から
３に開示されたヒンジ機構は、たとえば、図１１に示す携帯電話機１０１に利用することができる。
【特許文献１】特開２００３−１３３７６４号公報
【特許文献２】特開２００２−３１０１３４号公報
【特許文献３】特開２００１−２２７２２９号公報
【発明の開示】
【発明が解決しようとする課題】
【０００８】
近年、携帯電話機に設けられるカメラの性能は、急激に向上しており、光学ズーム機能などの付加機能を備えたものが開発されている。このため、このような性能の向上に伴って、カメラ部の大きさも大きくなってきている。しかし、図１１に示す携帯電話機１０１では、ヒンジ装置が収容される筐体１０７が、ヒンジ支持部１０４ｍとヒンジ支持部１０４ｎとの間に位置決めされているため、筐体１０３の表面１０３ａ上の空間をカメラ部を収容する空間として利用することができない。このため、筐体１０３に表面１０３ｂから一段盛り上がった表面１５３を形成することで、筐体１０３内にカメラ部を収容するための空間を確保している。
【０００９】
しかし、携帯電話機は、日常生活において持ち歩いて使用されるため、小型化に対する要求は通常の製品以上に強い。このため、筐体１０３に表面１５３を形成した場合、携帯電話機１０１の厚みが大きくなり、このような要求に十分に応えられなくなるという問題が発生する。
【００１０】
そこでこの発明の目的は、上記の課題を解決することであり、小型化が十分に図られた携帯機器を提供することである。
【課題を解決するための手段】
【００１１】
この発明の１つの局面に従った携帯機器は、主表面を有するベース部と、主表面の周縁に位置し、主表面から突出する突出部とを含み、ベース部および突出部の間で連通した内部空間を規定する第１の筐体と、内部空間に位置決めされ、第１の筐体に収容された電子機器と、第１の軸を中心に回動自在となるように突出部に連結され、第１の筐体に対して開閉される第２の筐体とを備える。
【００１２】
このように構成された携帯機器によれば、ベース部から第２の筐体に連結される突出部にまで連通する内部空間に電子機器が収容されている。このため、突出部を電子機器を収容する空間として利用しない場合と比較して、ベース部の厚みを小さくして電子機器を収容することができる。これにより、携帯機器の小型化を図ることができる。
【００１３】
また好ましくは、突出部は、第１の軸が延びる方向に互いに距離を隔てて位置する一対の側面を有する。第２の筐体は、中央部と、中央部から枝分かれし、一対の側面の各々に連結される両端部とを有するＵ字状の連結部材と、第１の表示部が設けられた第１の表面を有し、第１の軸に直交する第２の軸を中心に回転自在となるように中央部に連結された可動部材とを含む。
【００１４】
このように構成された携帯機器によれば、第１および第２の筐体を開いた状態で可動部材を回転させることによって、第１の表示部が設けられた第１の表面を表裏反転させたり、第１の表面を適当な中間位置に位置決めすることができる。また、第１および第２の筐体を閉じた状態で、第１の表面を内側に向けたり外側に向けたりすることができる。これにより、携帯機器を使用するシーンに合わせて、表示部を適切な方向に向けることができる。
【００１５】
また好ましくは、携帯機器は、第１の筐体に収容されたアンテナをさらに備える。アンテナは、第２の筐体に連結された側に位置する第１の筐体の端部から突出する先端部を含む。アンテナは、第１および第２の筐体を開いた状態で可動部材を回転させた場合に、先端部が可動部材に干渉しない位置に設けられている。また好ましくは、第１の筐体の端部から可動部材までの距離は、第１の筐体の端部から先端部までの距離よりも大きい。
【００１６】
このように構成された携帯機器によれば、可動部材をアンテナに引っ掻けることなくスムーズに回転させることができる。これにより、アンテナが曲がったり、可動部材が傷付いたりすることを防止できる。また、Ｕ字状の連結部材が、可動部材と第１の筐体との間で突出部を跨ぐように設けられているため、第１の筐体の端部から可動部材までの距離を大きくとることができる。これにより、アンテナを回転する可動部材と干渉しない位置に位置決めしやすくなる。
【００１７】
また好ましくは、電子機器は、カメラ部を含む。このように構成された携帯機器によれば、光学ズーム機能等を備えた大型のカメラ部を収容する場合であっても、携帯機器の小型化を十分に図ることができる。
【００１８】
また好ましくは、ベース部は、主表面の反対側に位置し、第１および第２の筐体を閉じた状態で外側に面する第２の表面をさらに有する。カメラ部は、第２の表面から露出する撮影レンズを有する。このように構成された携帯機器によれば、第２の表面を被写体に向けることによって、その被写体を撮影レンズで捉えることができる。
【００１９】
また、第２の筐体が連結部材および可動部材を含む場合、第１および第２の筐体を開いた状態で可動部材を適当に回転させることによって、撮影レンズが設けられた第２の表面と、第１の表示部が設けられた第１の表面との位置関係を変化させることができる。これにより、撮影の状況に応じて互いの位置関係を適当に選択することができる。また、第１および第２の筐体を閉じた状態で、第１の表面を外側に向けた場合、ユーザーは、携帯機器を専用のデジタルカメラのように構え、撮影を行なうことができる。これにより、携帯機器のカメラとしての使い勝手を向上させることができる。
【００２０】
また好ましくは、携帯機器は、撮影レンズに近接する位置で第２の表面から露出し、第１の筐体に設けられたフラッシュをさらに備える。このように構成された携帯機器によれば、薄暗い中であっても被写体の撮影が可能となる。このため、携帯機器のカメラとしての使い勝手をさらに向上させることができる。
【００２１】
また好ましくは、携帯機器は、撮影レンズに近接する位置で第２の表面から視認され、第１の筐体に設けられた第２の表示部をさらに備える。このように構成された携帯機器によれば、たとえば、カメラ部がセルフタイマーの機能を有する場合、撮影レンズと同じ第２の表面に設けられたサブ表示部に、セルフタイマーのカウントダウンを表示させることができる。これにより、携帯機器のカメラとしての使い勝手をさらに向上させることができる。
【００２２】
また好ましくは、第１の筐体は、ベース部に設けられた操作ボタン部をさらに含む。このように構成された携帯機器によれば、操作ボタン部を含む第１の筐体と、第２の筐体とが開閉自在に設けられた携帯機器において、上述のいずれかの効果を得ることができる。
【００２３】
この発明の別の局面に従った携帯機器は、第１および第２の筐体と、第１の筐体と第２の筐体とを回転自在に連結し、第１および第２の筐体に連通する内部空間を規定する第１の回転ヒンジ部と、その内部空間に配置された電子機器とを備える。このように構成された携帯機器によれば、内部空間に電子機器を配置することによって、その内部空間に連通する第１および第２の筐体内も電子機器を収容する空間として利用することができる。これにより、携帯機器の小型化を図りつつ、大型な電子機器の収容が可能となる。
【００２４】
また好ましくは、電子機器は、カメラ部を含む。このように構成された携帯機器によれば、光学ズーム機能等を備えた大型のカメラ部を収容することができる。
【００２５】
また好ましくは、第２の筐体は、第１の回転ヒンジ部を介して第１の筐体に連結される第１の回転部材と、第２の回転ヒンジ部を介して第１の回転部材に回転自在に連結され、表示部が設けられた第２の回転部材とを含む。このように構成された携帯機器によれば、第２の回転部材を第１の回転部材に対して回転させることにより、第２の回転部材に設けられた表示部を、その使用する状況に合わせて適当な方向に向けることができる。これにより、携帯機器の利便性を向上させることができる。
【００２６】
また、第１および第２の筐体は、互いに向い合う第１および第２の主表面をそれぞれ有する。好ましくは、第１の回転ヒンジ部は、第１および第２の主表面にほぼ直交する第１の回転軸を有する。第２の回転ヒンジ部は、第１の回転軸にほぼ直交する第２の回転軸を有する。このように構成された携帯機器によれば、異なる方向に延びる回転軸を備えることにより、携帯機器をより多くの状況に応じた形態に変形させることができる。これにより、携帯機器の利便性をさらに向上させることができる。
【００２７】
また好ましくは、第２の回転部材は、第２の筐体が第１の筐体に対して、第１および第２の主表面が向い合った位置から９０°および１８０°、回転したそれぞれ状態の少なくともいずれか一方の状態で、第１の回転部材に対して回転可能である。このように構成された携帯機器によれば、携帯機器を把持して表示部を見たり、携帯機器を地面に置いたりする場合に通常、採られる形態で、第２の回転部材を回転させることができる。このため、別の形態で第２の回転部材を回転できる場合と比較して、携帯機器の使い勝手が良い。
【００２８】
また好ましくは、第１の回転部材に、電子機器を実装する回路基板が収容されている。このように構成された携帯機器によれば、第１の回転部材は、第１の筐体と第２の回転部材との間に位置するため、回路基板からいずれの方向に延びる配線であっても処理しやすい。
【発明の効果】
【００２９】
以上説明したように、この発明に従えば、小型化が十分に図られた携帯機器を提供することができる。
【発明を実施するための最良の形態】
【００３０】
この発明の実施の形態について、図面を参照して説明する。
【００３１】
（実施の形態１）
図１は、この発明の実施の形態１における携帯電話機の開いた状態を示す斜視図である。図２は、図１中の携帯電話機の閉じた状態を示す斜視図である。図３は、図２中の矢印ＩＩＩから見た携帯電話機を示す斜視図である。図１から図３を参照して、携帯電話機１は、カメラ機能を有するクラムシェルタイプの携帯電話機であり、備える一方の筐体を表裏反転させることができるタイプの携帯電話機である。
【００３２】
携帯電話機１は、筐体２と、筐体２に対して回動軸５を中心に回動自在に連結された筐体６と、筐体２の内部に収容された図示しないカメラ部とを備える。筐体６を筐体２に対して角変位自在に動かすことによって、携帯電話機１の形状は、図１に示す開いた状態と図２および図３に示す閉じた状態との間で変化する。
【００３３】
図１および図２を参照して、筐体２は、略矩形形状の表面３ａを有するベース部３と、表面３ａの所定位置から突出して形成された突出部４とからなる形状を有する。表面３ａは、携帯電話機１を開いた状態で外側に面し、閉じた状態で内側に面する表面である。ベース部３は、表面３ａに対してほぼ直角に連なり、表面３ａを挟んで互いに平行に延在する一対の側面３ｃを有する。
【００３４】
表面３ａには、数字および文字を入力するためのキーなどから構成される入力ボタン群１９と、携帯電話機１における各種設定／機能切替を行うための機能ボタン群１８とが設けられている。表面３ａには、入力ボタン群１９の近傍に位置して、通話用のマイク２０が設けられている。側面３ｃの一方には、筐体２の内部に収容されたカメラ部の使用時に操作されるシャッターボタン１１が設けられている。
【００３５】
筐体６に隣り合って位置し、回動軸５が延びる方向に延在する表面３ａの周縁には、突出部４が設けられている。突出部４は、回動軸５が延びる方向に距離を隔てて位置し、表面３ａにほぼ直角に連なる一対の側面４ｃを有する。一対の側面４ｃの各々は、一対の側面３ｃの各々より所定の距離だけ内側に寄った位置で、表面３ａに連なっている。したがって、突出部４は、表面３ａの周縁の両端を除いた中心付近に設けられている。
【００３６】
筐体６は、突出部４に回動自在に設けられたヒンジカバー７と、ヒンジカバー７に対して回転軸９を中心に回転自在に設けられた筐体８とから構成されている。回転軸９は、突出部４の中心、つまり、一対の側面４ｃの各々からの距離が等しい位置で回動軸５に直交している。
【００３７】
ヒンジカバー７は、回動軸５が延びる方向に延在する中央部７ｍと、中央部７ｍの両端から回転軸９が延びる方向に延在する両端部７ｎとからなる形状を有し、Ｕ字状に形成されている。ヒンジカバー７は、両端部７ｎが突出部４の一対の側面４ｃを挟み込むように位置決めされている。ヒンジカバー７の内部には、図示しないヒンジ装置が収容されている。そのヒンジ装置によって、両端部７ｎと側面４ｃとが、回動自在に連結され、中央部７ｍと筐体８とが、回転自在に連結されている。
【００３８】
筐体８は、略矩形形状の表面８ａを有する。表面８ａには、メイン表示部１６が設けられている。メイン表示部１６は、液晶ディスプレイやＥＬ(electro luminescent）ディスプレイなどによって構成されており、表示ドライバ部を介して与えられる画像データに基づいて画像を表示する。表面８ａには、メイン表示部１６の近傍に位置して、通話時などに使用するレシーバ１７が設けられている。
【００３９】
図３を参照して、表面３ａの反対側に位置するベース部３の表面３ｂには、突出部４の裏側に位置して撮影レンズ１４およびフラッシュ１５が並んで設けられている。フラッシュ１５は、後に説明するカメラ部２６で撮影する際の補助光源として使われる。一般的には、補助光源にはキセノン管が用いられ、また最近では、ＲＧＢのＬＥＤ（light emitting diode）が用いられている。これらＬＥＤを同時発光させることによって、白色光の照明を得ることができる。
【００４０】
表面３ｂには、撮影レンズ１４の近傍に位置して、サブ表示部１３およびスピーカー２２が並んで設けられている。サブ表示部１３は、液晶ディスプレイやＥＬディスプレイなどによって構成されている。筐体２は、表面３ｂから表面３ｂの反対側に位置する突出部４に向けて延在する端面２ｄを有する。端面２ｄは、ベース部３の一対の側面３ｃの間で延在している。筐体２の内部には、アンテナ１２が昇降自在に設けられている。図中には、降りた状態のアンテナ１２が示されている。アンテナ１２は、端面２ｄから突出する先端部１２ｄを有する。
【００４１】
図４は、図１中のＩＶ−ＩＶ線上に沿った断面図である。図４を参照して、筐体２の内部には、突出部４とベース部３との間で連通する内部空間１０が規定されている。内部空間１０には、撮影レンズ１４の背面側に位置してカメラ部２６が収容されている。カメラ部２６は、オートフォーカス機能、２０倍デジタルズーム機能および２倍光学ズーム機能等を備える高性能カメラである。
【００４２】
カメラ部２６は、ＣＣＤ（charge coupled device）イメージセンサまたはＣＭＯＳ（complementary metal oxide semiconductor）イメージセンサなどの撮影素子と、ＲＧＢの３色のカラーフィルタとを備える。カメラ部２６では、被写体で反射されて撮影レンズ１４に入射した光を、カラーフィルタを通してＲＧＢの３色光に変換し、ＲＧＢの３色光をそれぞれＣＣＤに入射させる。
【００４３】
図５は、図１中の携帯電話機の分解組立図である。図中には、開いた状態の携帯電話機１が表面３ａおよび８ａ側から示されている。図４および図５を参照して、筐体２は、表面３ａを有するキャビネット２ｐと、表面３ｂを有する背面キャビネット２ｑとから構成されている。筐体８は、表面８ａを有するキャビネット８ｐと、表面８ｂを有する背面キャビネット８ｑとから構成されている。
【００４４】
ヒンジカバー７は、キャビネット７ｐと背面キャビネット７ｑとから構成されている。キャビネット７ｐと背面キャビネット７ｑとは、内部にヒンジ装置２７を収容して組み合わされる。ヒンジ装置２７は、中央部７ｍと筐体８とを回転自在に連結するヒンジ機構２８と、両端部７ｎと側面４ｃとを回動自在に連結する２つのヒンジ機構２９とから構成されている。ヒンジ装置２７は、ヒンジ機構２８から２方向に枝分かれして延在し、その先端にヒンジ機構２９が設けられた形状を有する。カメラ部２６は、２つのヒンジ機構２９の間に位置して筐体２の内部に収容される。
【００４５】
図６から図８は、図１中のメイン表示部が設けられた筐体を回転させた場合の携帯電話機を示す斜視図である。図６を参照して、携帯電話機１を開いた状態とし、筐体８を回転軸９を中心に図１に示す状態から９０度だけ回転させる。これにより、筐体８は、メイン表示部１６が設けられた表面８ａと、入力ボタン群１９および機能ボタン群１８が設けられた筐体２の表面３ａとが直交するように位置決めされる。
【００４６】
図７を参照して、筐体８を回転軸９を中心に図６に示す状態からさらに９０度だけ回転させる。これにより、筐体８は、表面８ａと筐体２の表面３ｂとが同一方向を向き、筐体８の表面８ｂと筐体２の表面３ａとが同一方向を向くように位置決めされる。なお、図１
、図６および図７に示す状態のみならず、筐体８を回転軸９を中心に適当な角度だけ回転させることによって、表面８ａに設けられたメイン表示部１６を所望の方向に向けることができる。
【００４７】
このように携帯電話機１では、筐体８が回転自在に設けられている。このため、カメラ部２６を用いて被写体を撮影する場合に、ユーザーは、その撮影の条件にあわせてメイン表示部１６の向きを選択することができる。たとえば、正面に立った被写体を撮影する場合、ユーザーは、筐体８を図１に示す状態に位置決めする。これにより、撮影レンズ１４を被写体に向けながら、メイン表示部１６に映し出された被写体の姿を確認することができる。また、筐体８を図６に示す状態に位置決めすれば、ユーザーは、メイン表示部１６を臨み込むような姿勢を取りながら、正面に立った被写体の姿を確認することができる。
【００４８】
また、ユーザーが自分の姿を撮影する場合、ユーザーは、筐体８を図７に示す状態に位置決めすれば良い。これにより、撮影レンズ１４を自分に向けながら、メイン表示部１６に映し出された自分の姿を確認することができる。また、カメラ部２６がセルフタイマー機能を備える場合、ユーザーは、携帯電話機１から離れた位置に立って自分の姿を撮影することもできる。このとき、図３中のサブ表示部１３にセルフタイマーのカウントダウンを表示させても良い。なお、アンテナ１２を、カメラ部２６によって撮影され、メイン表示部１６に映し出された画像をスクロールさせるためのつまみとして用いても良い。
【００４９】
図８を参照して、筐体８を図７に示す状態に回転させた後、筐体８を回動軸５を中心に回動させる。これにより、携帯電話機１は、メイン表示部１６が設けられた表面８ａが外側を向き、表面８ｂが内側を向くように閉じられる。この場合、ユーザーは、たとえばシャッターボタン１１に右手の人差し指を掛け、両手で携帯電話機１を把持した状態で撮影を行なうことができる。このように携帯電話機１を専用のデジタルカメラのようにして構えることができるため、カメラとして用いる際の携帯電話機１の使い勝手を向上させることができる。
【００５０】
図９は、図１中のメイン表示部が設けられた筐体を回転させた場合の携帯電話機を示す側面図である。図９を参照して、アンテナ１２が降りた状態において、筐体２の端面２ｄからアンテナ１２の先端部１２ｄまでの距離Ｌ１は、端面２ｄから筐体８までの距離Ｌ２よりも小さく設定されている。このような構造は、携帯電話機１を開いた状態で、端面２ｄと筐体８との間にヒンジカバー７の中央部７ｍが介在することによって実現されている。
【００５１】
図１０は、図９中の矢印Ｘから見た携帯電話機を示す上面図である。図１０を参照して、アンテナ１２は、筐体８を回転軸９を中心に回転させた場合の筐体８の側面８ｃの軌跡が、アンテナ１２から離れた位置で描かれるように位置決めされている。図９および図１０を用いて説明した理由から、携帯電話機１では、アンテナ１２に干渉させることなく、筐体８をスムーズに回転させることができる。
【００５２】
この発明の実施の形態１に従った携帯機器としての携帯電話機１は、主表面としての表面３ａを有するベース部３と、表面３ａの周縁に位置し、表面３ａから突出する突出部４とを含み、ベース部３および突出部４の間で連通した内部空間１０を規定する第１の筐体としての筐体２と、内部空間１０に位置決めされ、筐体２に収容された電子機器としてのカメラ部２６と、第１の軸としての回動軸５を中心に回動自在となるように突出部４に連結され、筐体２に対して開閉される第２の筐体としての筐体６とを備える。
【００５３】
突出部４は、回動軸５が延びる方向に互いに距離を隔てて位置する一対の側面４ｃを有する。筐体６は、Ｕ字状の連結部材としてのヒンジカバー７と、可動部材としての筐体８
とを含む。ヒンジカバー７は、中央部７ｍと、中央部７ｍから枝分かれし、一対の側面４ｃの各々に連結される両端部７ｎとを有する。筐体８は、第１の表示部としてのメイン表示部１６が設けられた第１の表面としての表面８ａを有し、回動軸５に直交する第２の軸としての回転軸９を中心に回転自在となるように中央部７ｍに連結されている。
【００５４】
携帯電話機１は、筐体２に収容されたアンテナ１２をさらに備える。アンテナ１２は、筐体６に連結された側に位置する筐体２の端部としての端面２ｄから突出する先端部１２ｄを含む。アンテナ１２は、筐体２および６を開いた状態で筐体８を回転させた場合に、先端部１２ｄが筐体８に干渉しない位置に設けられている。筐体２の端面２ｄから筐体８までの距離Ｌ２は、筐体２の端面２ｄから先端部１２ｄまでの距離Ｌ１よりも大きい。
【００５５】
ベース部３は、表面３ａの反対側に位置し、筐体２および６を閉じた状態で外側に面する第２の表面としての表面３ｂをさらに有する。カメラ部２６は、表面３ｂから露出する撮影レンズ１４を有する。携帯電話機１は、撮影レンズ１４に近接する位置で表面３ｂから露出し、筐体２に設けられたフラッシュ１５をさらに備える。携帯電話機１は、撮影レンズ１４に近接する位置で表面３ｂから視認され、筐体２に設けられた第２の表示部としてのサブ表示部１３をさらに備える。筐体２は、ベース部３に設けられた操作ボタン部としての入力ボタン群１９および機能ボタン群１８をさらに含む。
【００５６】
なお、本実施の形態では、クラムシェルタイプの携帯電話機１について説明を行なったが、本発明による携帯機器はこれに限定されない。携帯機器は、たとえば、ＰＤＡ（personal digital assistants）、ノート型パソコンおよびワードプロセッサなどであってもよい。
【００５７】
このように構成された携帯電話機１によれば、ヒンジカバー７に連結される突出部４の内部にまで連通する内部空間１０にカメラ部２６が収容されている。このため、光学ズーム機能等を備えた大型のカメラ部２６であっても、筐体２の表面３ｂ側を突出させることなく、筐体２の内部に収容することができる。これにより、筐体２の厚みが大きくなることがないため、携帯電話機１の小型化を図ることができる。
【００５８】
（実施の形態２）
図１５は、この発明の実施の形態２における携帯電話機の閉じた状態を示す斜視図である。図１６は、図１５中の携帯電話機の開いた状態の一例を示す斜視図である。図１７は、図１５中の矢印ＸＶＩＩから見た携帯電話機を示す側面図である。なお、携帯電話機が備えるカメラ部や表示部は、実施の形態１に記載の構造と同様の構造を有するものとし、その説明は繰り返さない。
【００５９】
図１５から図１７を参照して、携帯電話機５１は、キー側キャビネット５２と、ジョイント用キャビネット５３および表示部側キャビネット５４から構成され、キー側キャビネット５２に向い合って配置されたキャビネット５５とを備える。キー側キャビネット５２は、操作キー群６２が設けられた表面５２ａと、表面５２ａの反対側に位置し、後に説明するカメラ部６１の撮影レンズが露出する表面５２ｂとを有する。表示部側キャビネット５４は、図中には現れていない表示部が設けられた表面５５ａと、その反対側に位置する表面５５ｂとを有する。図１５中に示す状態において、キー側キャビネット５２およびキャビネット５５は、表面５２ａと表面５５ａとが互いに向い合い、表面５２ｂおよび５５ｂが外側に露出するように位置決めされている。
【００６０】
キー側キャビネット５２とジョイント用キャビネット５３とは、回転ヒンジ６３を介して、回転軸６７を中心に回転自在に連結されている。このような構成により、キャビネット５５は、回転軸６７を中心に図１５中の矢印５８に示す方向に回転可能である。さらに、ジョイント用キャビネット５３と表示部側キャビネット５４とは、回転ヒンジ６５を介して、回転軸６８を中心に回転自在に連結されている。回転軸６７は、表面５２ａおよび５５ａに直交する方向に延びている。回転軸６８は、表面５２ａおよび５５ａが延在する方向、つまり回転軸６７に直交する方向に延びている。
【００６１】
図１８は、図１６中の携帯電話機の分解組立図である。図１８を参照して、キー側キャビネット５２は、表面５２ａを有するキャビネット５２ｐと、表面５２ｂを有する背面キャビネット５２ｑとから構成されている。表示部側キャビネット５４は、表示部６４が設けられた表面５５ａを有するキャビネット５４ｐと、表面５５ｂを有する背面キャビネット５４ｑとから構成されている。ジョイント用キャビネット５３も同様に、上下分割されたキャビネット５３ｐおよび背面キャビネット５３ｑとから構成されている。
【００６２】
図１９は、図１５中のＸＩＸ−ＸＩＸ線上に沿った携帯電話機の断面図である。図１８および図１９を参照して、回転ヒンジ６３は、キー側キャビネット５２に固定された回転ヒンジ固定部（軸側）６３ｍと、ジョイント用キャビネット５３に固定され、キー側キャビネット５２に対してキャビネット５５とともに回転する回転ヒンジ可動部（回転側）６３ｎとから構成されている。回転ヒンジ固定部６３ｍと回転ヒンジ可動部６３ｎとは、キャビネット５５の回転時に摺接するように組み合わされている。回転ヒンジ固定部６３ｍは、筒状の形状を有し、その内部には、回転軸６７に沿った内部空間７１が規定されている。内部空間７１は、キー側キャビネット５２およびジョイント用キャビネット５３の双方に連通している。
【００６３】
その内部空間７１には、カメラ部６１が配置されている。カメラ部６１は、ジョイント用キャビネット５３の内部から、内部空間７１を通じてキー側キャビネット５２の内部までに渡る空間を占めている。ジョイント用キャビネット５３の内部には、カメラ部６１が実装された回路基板７３が配置されている。なお、本実施の形態におけるカメラ部６１もまた、オートフォーカス機能やズーム機能等を備える高性能カメラである。
【００６４】
回転ヒンジ６５は、ジョイント用キャビネット５３に固定された回転ヒンジ固定部（軸側）６５ｍと、表示部側キャビネット５４に固定され、ジョイント用キャビネット５３に対して表示部側キャビネット５４とともに回転する回転ヒンジ可動部（回転側）６５ｎとから構成されている。回転ヒンジ固定部６５ｍと回転ヒンジ可動部６５ｎとは、表示部側キャビネット５４の回転時に摺接するように組み合わされている。
【００６５】
この発明の実施の形態２に従った携帯機器としての携帯電話機５１は、第１および第２の筐体としてのキー側キャビネット５２およびキャビネット５５と、キー側キャビネット５２とキャビネット５５とを回転自在に連結し、キー側キャビネット５２およびキャビネット５５に連通する内部空間７１を規定する第１の回転ヒンジ部としての回転ヒンジ６３と、内部空間７１に配置された電子機器としてのカメラ部６１とを備える。
【００６６】
キャビネット５５は、回転ヒンジ６３を介してキー側キャビネット５２に連結される第１の回転部材としてのジョイント用キャビネット５３と、第２の回転ヒンジ部としての回転ヒンジ６５を介してジョイント用キャビネット５３に回転自在に連結され、表示部６４が設けられた第２の回転部材としての表示部側キャビネット５４とを含む。
【００６７】
キー側キャビネット５２およびキャビネット５５は、互いに向い合う第１および第２の主表面としての表面５２ａおよび５５ａをそれぞれ有する。回転ヒンジ６３は、表面５２ａおよび５５ａにほぼ直交する第１の回転軸としての回転軸６７を有する。回転ヒンジ６５は、回転軸６７にほぼ直交する第２の回転軸としての回転軸６８を有する。ジョイント用キャビネット５３に、カメラ部６１を実装する回路基板７３が収容されている。
【００６８】
このように構成された携帯電話機５１によれば、回転ヒンジ６３には、キー側キャビネット５２およびジョイント用キャビネット５３に連通する内部空間７１が規定されており、その内部空間７１にカメラ部６１が配置されている。このため、ひとつのキャビネット内に収容するのではなく、内部空間７１を通じて連通された複数のキャビネット内を、カメラ部２６を収容する空間として利用することができる。これにより、光学ズーム機能等を備えた大型のカメラ部６１であっても、携帯電話機５１を大型化することなく収容することができる。
【００６９】
図２０から図２５は、図１５中のキャビネットを回転させた場合の携帯電話機の形態を示す斜視図である。図２０を参照して、図１５中に示す状態から、キャビネット５５を回転軸６７を中心に９０°回転させると、キー側キャビネット５２の側面５２ｃと、表示部側キャビネット５４に向い合うジョイント用キャビネット５３の端面５３ｃとが、ほぼ同一平面に位置決めされる。これにより、キー側キャビネット５２に干渉させることなく、表示部側キャビネット５４を回転軸６８を中心に回転させることができる。
【００７０】
図２１および図２２を参照して、それぞれの図中には、図２０中に示す状態から、表示部側キャビネット５４を、回転軸６８を中心に９０°回転させた場合の外観と、さらに９０°回転させた場合の外観とが示されている。このように、キー側キャビネット５２とキャビネット５５とを直交させた状態で、表示部６４の向きを所望の方向に変更することができる。
【００７１】
図１６を参照して、同様に、図１５中に示す状態から、キャビネット５５を回転軸６７を中心に１８０°回転させても、キー側キャビネット５２に干渉させることなく、表示部側キャビネット５４を、回転軸６８を中心に回転させることができる。図２３および図２４を参照して、それぞれの図中には、図１６中に示す状態から、表示部側キャビネット５４を、回転軸６８を中心に９０°回転させた場合の外観と、さらに９０°回転させた場合の外観とが示されている。このように、キー側キャビネット５２とキャビネット５５とを一直線上に配置した状態としても、表示部６４の向きを所望の方向に変更することができる。
【００７２】
図２５を参照して、図中には、図２４中に示す状態から、キャビネット５５を回転軸６７を中心に１８０°回転させた場合の外観が示されている。この場合、携帯電話機５１を閉じた状態として、表示部６４を外側に露出させることができる。
【００７３】
ユーザーは、携帯電話機５１の使用の状態に合わせて、キー側キャビネット５２とキャビネット５５との位置関係を変更したり、表示部６４の向きを変更することができる。また、図１６および図２０に示す携帯電話機５１の形態は、表示部６４を正常な方向に見たり、地面に安定して置くという点において、最適な形態である。携帯電話機５１では、そのような形態において表示部側キャビネット５４を回転させることができるため、ユーザーは、使い勝手良く、携帯電話機５１を用いることができる。
【００７４】
なお、本実施の形態では、本発明による携帯機器を携帯電話機に適用した場合について説明したが、これに限定されず、たとえば、ＰＤＡ（personal digital assistants）、ノート型パソコンおよびワードプロセッサなどに適用することもできる。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７６】
【図１】この発明の実施の形態１における携帯電話機の開いた状態を示す斜視図である。
【図２】図１中の携帯電話機の閉じた状態を示す斜視図である。
【図３】図２中の矢印ＩＩＩから見た携帯電話機を示す斜視図である。
【図４】図１中のＩＶ−ＩＶ線上に沿った断面図である。
【図５】図１中の携帯電話機の分解組立図である。
【図６】図１中のメイン表示部が設けられた筐体を回転させた場合の携帯電話機を示す斜視図である。
【図７】図１中のメイン表示部が設けられた筐体を回転させた場合の携帯電話機を示す別の斜視図である。
【図８】図１中のメイン表示部が設けられた筐体を回転させた場合の携帯電話機を示すさらに別の斜視図である。
【図９】図１中のメイン表示部が設けられた筐体を回転させた場合の携帯電話機を示す側面図である。
【図１０】図９中の矢印Ｘから見た携帯電話機を示す上面図である。
【図１１】従来において、２つの回転軸を備えたクラムシェルタイプの携帯電話機の開いた状態を示す斜視図である。
【図１２】図１１中の携帯電話機の閉じた状態を示す斜視図である。
【図１３】図１２中の矢印ＸＩＩＩから見た携帯電話機を示す斜視図である。
【図１４】図１１中のメイン表示部が設けられた筐体を回転させた場合の携帯電話機を示す斜視図である。
【図１５】この発明の実施の形態２における携帯電話機の閉じた状態を示す斜視図である。
【図１６】図１５中の携帯電話機の開いた状態の一例を示す斜視図である。
【図１７】図１５中の矢印ＸＶＩＩから見た携帯電話機を示す側面図である。
【図１８】図１６中の携帯電話機の分解組立図である。
【図１９】図１５中のＸＩＸ−ＸＩＸ線上に沿った携帯電話機の断面図である。
【図２０】図１５中のキャビネットを回転させた場合の携帯電話機の形態を示す斜視図である。
【図２１】図１５中のキャビネットを回転させた場合の携帯電話機の別の形態を示す斜視図である。
【図２２】図１５中のキャビネットを回転させた場合の携帯電話機のさらに別の形態を示す斜視図である。
【図２３】図１５中のキャビネットを回転させた場合の携帯電話機のさらに別の形態を示す斜視図である。
【図２４】図１５中のキャビネットを回転させた場合の携帯電話機のさらに別の形態を示す斜視図である。
【図２５】図１５中のキャビネットを回転させた場合の携帯電話機のさらに別の形態を示す斜視図である。
【符号の説明】
【００７７】
１，５１  携帯電話機、２，６，８  筐体、２ｄ  端面、３  ベース部、３ａ，３ｂ，８ａ，５２ａ，５５ａ  表面、３ｃ  側面、４  突出部、５  回動軸、７  ヒンジカバー、７ｍ  中央部、７ｎ  両端部、９，６７，６８  回転軸、１０  内部空間、１２  アンテナ、１２ｄ  先端部、１３  サブ表示部、１４  撮影レンズ、１５  フラッシュ、１６  メイン表示部、１８  機能ボタン群、１９  入力ボタン群、２６，６１  カメラ部、５２  キー側キャビネット、５３  ジョイント用キャビネット、５４  表示部側キャビネット、５５  キャビネット、６３，６５  回転ヒンジ、６４  表示部、７１  内部空間、７３  回路基板。
【図１】
2005124127.tif 000003
【図２】
2005124127.tif 000004
【図３】
2005124127.tif 000005
【図４】
2005124127.tif 000006
【図５】
2005124127.tif 000007
【図６】
2005124127.tif 000008
【図７】
2005124127.tif 000009
【図８】
2005124127.tif 000010
【図９】
2005124127.tif 000011
【図１０】
2005124127.tif 000012
【図１１】
2005124127.tif 000013
【図１２】
2005124127.tif 000014
【図１３】
2005124127.tif 000015
【図１４】
2005124127.tif 000016
【図１５】
2005124127.tif 000017
【図１６】
2005124127.tif 000018
【図１７】
2005124127.tif 000019
【図１８】
2005124127.tif 000020
【図１９】
2005124127.tif 000021
【図２０】
2005124127.tif 000022
【図２１】
2005124127.tif 000023
【図２２】
2005124127.tif 000024
【図２３】
2005124127.tif 000025
【図２４】
2005124127.tif 000026
【図２５】
2005124127.tif 000027